【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
ＸＹアドレス方式の撮像素子により得られた画像信号のフリッカ成分を補正するフリッカ補正装置であって、
前記画像信号を水平方向及び垂直方向に分割することにより、複数のフリッカ検出枠を設定する分割手段と、
前記画像信号に含まれるフリッカ成分を前記複数のフリッカ検出枠の各々で検出するフリッカ検出手段と、
前記複数のフリッカ検出枠の各々について、前記フリッカ検出手段が検出したフリッカ成分に応じた補正値を生成する補正値生成手段と、
前記補正値が、前記水平方向もしくは垂直方向の少なくとも一方において連続的に、もしくは前記フリッカ検出枠の大きさよりも小さい単位で段階的に変化するように平滑化する平滑化手段と、
前記複数のフリッカ検出枠の各々に含まれる画像信号に、対応するフリッカ検出枠について前記補正値生成手段が生成し、前記平滑化手段が平滑化した補正値を適用してフリッカ成分の補正を行う補正手段と、
前記フリッカ検出手段が検出したフリッカ成分の信頼性を、予め定めたフリッカモデルとの比較に基づいて判定する評価手段と、
前記評価手段によって信頼性が低いと判定されたフリッカ成分に代わるフリッカ成分として、前記評価手段によって信頼性が高いと判定された他のフリッカ成分を補間して生成する補間手段とを有し、
前記補正値生成手段が、前記評価手段によって信頼性が低いと判定されたフリッカ成分に代えて、前記補間手段が生成したフリッカ成分に応じて前記補正値を生成することを特徴とするフリッカ補正装置。
【請求項２】
前記フリッカ検出枠ごとに、フリッカ成分の補正を行うか否かを設定する設定手段をさらに有し、
前記平滑化手段が、前記設定手段によりフリッカ成分の補正を行わないと設定されたフリッカ検出枠について前記補正値生成手段が生成した補正値を、前記設定手段によりフリッカ成分の補正を行うと設定されたフリッカ検出枠について前記補正値生成手段が生成した補正値に適用する平滑化フィルタより狭帯域の平滑化フィルタを適用して前記平滑化を行うことを特徴とする請求項１記載のフリッカ補正装置。
【請求項３】
前記補正値生成手段が、前記設定手段によりフリッカ成分の補正を行わないと設定されたフリッカ検出枠について、前記補正手段が適用しても前記画像信号を変化させない補正値を生成することを特徴とする請求項２記載のフリッカ補正装置。
【請求項４】
前記設定手段が、前記検出手段が検出したフリッカ成分と最も相関の強いフリッカモデルのフリッカ振幅に基づいて、前記設定を行うことを特徴とする請求項２又は請求項３記載のフリッカ補正装置。
【請求項５】
ＸＹアドレス方式の撮像素子により得られた画像信号のフリッカ成分を補正するフリッカ補正方法であって、
分割手段が前記画像信号を水平方向及び垂直方向に分割することにより、複数のフリッカ検出枠を設定する工程と、
フリッカ検出手段が前記画像信号に含まれるフリッカ成分を前記複数のフリッカ検出枠の各々で検出する工程と、
補正値生成手段が前記複数のフリッカ検出枠の各々について、前記フリッカ検出手段が検出したフリッカ成分に応じた補正値を生成する工程と、
前記補正値が、前記水平方向もしくは垂直方向の少なくとも一方において連続的に、もしくは前記フリッカ検出枠の大きさよりも小さい単位で段階的に変化するように、平滑化手段が前記補正値を平滑化する工程と、
補正手段が前記複数のフリッカ検出枠の各々に、対応するフリッカ検出枠について前記補正値生成手段が生成し、前記平滑化手段が平滑化した補正値を適用してフリッカ成分の補正を行う工程と、
評価手段が前記フリッカ検出手段が検出したフリッカ成分の信頼性を、予め定めたフリッカモデルとの比較に基づいて判定する工程と、
補間手段が前記評価手段によって信頼性が低いと判定されたフリッカ成分に代わるフリッカ成分として、前記評価手段によって信頼性が高いと判定された他のフリッカ成分を補間して生成する工程とを有し、
前記補正値生成手段が、前記評価手段によって信頼性が低いと判定されたフリッカ成分に代えて、前記補間手段が生成したフリッカ成分に応じて前記補正値を生成することを特徴とするフリッカ補正方法。
【請求項６】
コンピュータを、請求項１乃至請求項４のいずれか１項に記載のフリッカ補正装置の各手段として機能させるためのプログラム。
【手続補正２】
【補正対象書類名】明細書
【補正対象項目名】０００９
【補正方法】変更
【補正の内容】
【０００９】
上述の目的は、ＸＹアドレス方式の撮像素子により得られた画像信号のフリッカ成分を補正するフリッカ補正装置であって、前記画像信号を水平方向及び垂直方向に分割することにより、複数のフリッカ検出枠を設定する分割手段と、画像信号に含まれるフリッカ成分を複数のフリッカ検出枠の各々で検出するフリッカ検出手段と、複数のフリッカ検出枠の各々について、フリッカ検出手段が検出したフリッカ成分に応じた補正値を生成する補正値生成手段と、補正値が、水平方向もしくは垂直方向の少なくとも一方において連続的に、もしくはフリッカ検出枠の大きさよりも小さい単位で段階的に変化するように平滑化する平滑化手段と、複数のフリッカ検出枠の各々に含まれる画像信号に、対応するフリッカ検出枠について補正値生成手段が生成し、平滑化手段が平滑化した補正値を適用してフリッカ成分の補正を行う補正手段と、フリッカ検出手段が検出したフリッカ成分の信頼性を、予め定めたフリッカモデルとの比較に基づいて判定する評価手段と、評価手段によって信頼性が低いと判定されたフリッカ成分に代わるフリッカ成分として、評価手段によって信頼性が高いと判定された他のフリッカ成分を補間して生成する補間手段とを有し、補正値生成手段が、評価手段によって信頼性が低いと判定されたフリッカ成分に代えて、補間手段が生成したフリッカ成分に応じて補正値を生成することを特徴とするフリッカ補正装置によって達成される。
【手続補正３】
【補正対象書類名】明細書
【補正対象項目名】００１０
【補正方法】変更
【補正の内容】
【００１０】
また、上述の目的は、ＸＹアドレス方式の撮像素子により得られた画像信号のフリッカ成分を補正するフリッカ補正方法であって、分割手段が画像信号を水平方向及び垂直方向に分割することにより、複数のフリッカ検出枠を設定する工程と、フリッカ検出手段が画像信号に含まれるフリッカ成分を複数のフリッカ検出枠の各々で検出する工程と、補正値生成手段が複数のフリッカ検出枠の各々について、フリッカ検出手段が検出したフリッカ成分に応じた補正値を生成する工程と、補正値が、水平方向もしくは垂直方向の少なくとも一方において連続的に、もしくはフリッカ検出枠の大きさよりも小さい単位で段階的に変化するように、平滑化手段が補正値を平滑化する工程と、補正手段が複数のフリッカ検出枠の各々に、対応するフリッカ検出枠について補正値生成手段が生成し、平滑化手段が平滑化した補正値を適用してフリッカ成分の補正を行う工程と、評価手段がフリッカ検出手段が検出したフリッカ成分の信頼性を、予め定めたフリッカモデルとの比較に基づいて判定する工程と、補間手段が評価手段によって信頼性が低いと判定されたフリッカ成分に代わるフリッカ成分として、評価手段によって信頼性が高いと判定された他のフリッカ成分を補間して生成する工程とを有し、補正値生成手段が、評価手段によって信頼性が低いと判定されたフリッカ成分に代えて、補間手段が生成したフリッカ成分に応じて補正値を生成することを特徴とするフリッカ補正方法によっても達成される。